(57)【要約】【課題】荷役装置を用いた移送時に傷の付きにくい熱交換換気装置を得ること。【解決手段】床置型の熱交換換気装置３０であって、本体外殻を構成する本体箱体１と、本体箱体の下方に所定方向に並べて設けられて本体箱体を支持するとともに、その並列方向に貫通する開口３３が形成された複数の本体支持脚部品３２と、複数の本体支持脚部品に形成された開口同士を結ぶ経路上に設けられて本体箱体の下面を覆うガイド板３５と、を備える。【選択図】図２
2012078061.tif 000002
【特許請求の範囲】
【請求項１】
床置型の熱交換換気装置であって、
本体外殻を構成する本体箱体と、
前記本体箱体の下方に所定方向に並べて設けられて前記本体箱体を支持するとともに、その並列方向に貫通する開口が形成された複数の本体支持脚部品と、
複数の前記本体支持脚部品に形成された開口同士を結ぶ経路上に設けられて前記本体箱体の下面を覆うガイド板と、を備えることを特徴とする熱交換換気装置。
【請求項２】
前記ガイド板には、前記開口同士を結ぶ経路の少なくとも一方側で前記ガイド板から下方に延びるガイド部が設けられることを特徴とする請求項１に記載の熱交換換気装置。
【発明の詳細な説明】
【技術分野】
【０００１】
本発明は、熱交換素子を介して同時給排気による熱交換を行なう熱交換換気装置に関する。
【背景技術】
【０００２】
熱交換換気装置は、空気対空気での熱交換を行う熱交換素子が内蔵され、熱交換を行いながら同時給排気により換気を行うものである。熱交換換気装置には、建物内の床に設置されて用いられる床置型の熱交換換気装置がある。
【０００３】
このような、床置型の熱交換換気装置の移送には、フォークを備える荷役装置が用いられる場合がある。荷役装置が用いられる場合には、熱交換換気装置の下側にフォークが挿入される。例えば、特許文献１には、熱交換換気装置の外郭を構成する箱体の下側に、フォークを挿入するための空間が設けられている。
【先行技術文献】
【特許文献】
【０００４】
【特許文献１】特開２００３−４２７７号公報
【発明の概要】
【発明が解決しようとする課題】
【０００５】
しかしながら、上記従来の技術の製品構造では、本体箱体の下側に挿入されるフォークによって、本体箱体の下面が傷つけられてしまう場合があった。
【０００６】
本発明は、上記に鑑みてなされたものであって、荷役装置を用いた移送時に傷の付きにくい熱交換換気装置を得ることを目的とする。
【課題を解決するための手段】
【０００７】
上述した課題を解決し、目的を達成するために、本発明は、床置型の熱交換換気装置であって、本体外殻を構成する本体箱体と、本体箱体の下方に所定方向に並べて設けられて本体箱体を支持するとともに、その並列方向に貫通する開口が形成された複数の本体支持脚部品と、複数の本体支持脚部品に形成された開口同士を結ぶ経路上に設けられて本体箱体の下面を覆うガイド板と、を備えることを特徴とする。
【発明の効果】
【０００８】
本発明によれば、ガイド板によって本体箱体の下面側が覆われるので、開口にフォークを挿入する際に、本体箱体の下面がフォークによって傷を付けられることを抑えることができるという効果を奏する。
【図面の簡単な説明】
【０００９】
【図１】図１は、本発明の実施の形態１にかかる熱交換換気装置の外観を示す斜視図である。
【図２】図２は、熱交換換気装置の外観を示す正面図である。
【図３】図３は、熱交換換気装置の外観を示す側面図である。
【図４】図４は、メンテナンスパネルを取り外した状態の熱交換換気装置を示す斜視図である。
【図５】図５は、メンテナンスパネルを取り外した状態の熱交換換気装置を示す正面図である。
【図６】図６は、熱交換換気装置の平面図である。
【図７】図７は、熱交換換気装置の断面構成を模式的に示す図であって、図６に示すＡ−Ａ線に沿った矢視断面図である。
【図８】図８は、熱交換換気装置の断面構成を模式的に示す図であって、図６に示すＢ−Ｂ線に沿った矢視断面図である。
【図９】図９は、熱交換換気装置が備える支持体の外観を示す斜視図である。
【図１０】図１０は、支持体を構成する本体支持脚部品の外観を示す斜視図である。
【図１１】図１１は、支持体を構成するガイド板の外観を示す斜視図である。
【発明を実施するための形態】
【００１０】
以下に、本発明の実施の形態にかかる熱交換換気装置を図面に基づいて詳細に説明する。なお、この実施の形態によりこの発明が限定されるものではない。
【００１１】
実施の形態１．
図１は、本発明の実施の形態１にかかる熱交換換気装置の外観を示す斜視図である。図２は、熱交換換気装置の外観を示す正面図である。図３は、熱交換換気装置の外観を示す側面図である。図４は、メンテナンスパネルを取り外した状態の熱交換換気装置を示す斜視図である。図５は、メンテナンスパネルを取り外した状態の熱交換換気装置を示す正面図である。図６は、熱交換換気装置の平面図である。図７は、熱交換換気装置の断面構成を模式的に示す図であって、図６に示すＡ−Ａ線に沿った矢視断面図である。図８は、熱交換換気装置の断面構成を模式的に示す図であって、図６に示すＢ−Ｂ線に沿った矢視断面図である。
【００１２】
熱交換換気装置３０は、室外空気対室内空気の熱交換を行う熱交換器１４が、直方体に形成された本体箱体１の内部に設置され、同時給排気により、給気と排気との間で熱交換を行いながら室内の換気を行うものである。熱交換換気装置３０は、例えば建物内の機械室の床に設置される床置型の換気装置である。
【００１３】
熱交換換気装置３０の本体外殻を構成する本体箱体１には、本体箱体１の上面に設けられた外気吸込口２を入口端とし、本体箱体１内を経て本体箱体１の上面に設けられた給気吹出口３を出口端とし、室外の空気を室内へ供給する給気風路６と、本体箱体１の上面に設けられた還気吸込口４を入口端とし、本体箱体１内を経て本体箱体１の上面に設けられた排気吹出口５を出口端とし、室内の空気を室外へ排気する排気風路７と、が形成されている。
【００１４】
本体箱体１の前面は、その全体がメンテナンス用開口１ａとなっている。本体箱体１の前面全体がメンテナンス用開口１ａとなっているので、メンテナンス用開口１ａを通して本体箱体１の内側全体が露出される。
【００１５】
メンテナンス用開口１ａは、複数のメンテナンスパネル１５，１６，１７で塞がれる。メンテナンスパネル１５，１６，１７は、メンテナンス用開口１ａに対して、着脱可能に設けられる。例えば、メンテナンスパネル１５，１６，１７は本体箱体１にビス止めされる。なお、メンテナンス用開口１ａが１枚のメンテナンスパネルで塞がれるように構成しても構わない。
【００１６】
メンテナンスパネル１５は、給気送風機９、給気送風機部風路６ｃ、給気吹出し風路６ｄを覆う。メンテナンスパネル１６は、熱交換器１４、フィルター１２、熱交換器前給気風路６ａ、熱交換器後給気風路６ｂ、熱交換器前排気風路７ａ、熱交換器後排気風路７ｂ、を覆う。メンテナンスパネル１７は、排気送風機１１、排気送風機部風路７ｃ、排気吹出し風路７ｄを覆う。
【００１７】
給気風路６は、熱交換器前給気風路６ａ、熱交換器後給気風路６ｂ、給気送風機部風路６ｃおよび給気吹出し風路６ｄを有して構成される。熱交換器前給気風路６ａは、外気吸込口２の直後から熱交換器１４の直前までの空間を構成する。熱交換器後給気風路６ｂは、熱交換器１４の直後から給気送風機９の直前までの空間を構成する。給気送風機部風路６ｃは、給気送風機９の周囲の空間を構成する。給気吹出し風路６ｄは、給気送風機９の直後から給気吹出口３までの空間を構成する。
【００１８】
熱交換器前給気風路６ａと熱交換器後給気風路６ｂは、メンテナンスパネル１６の背面に構成される。給気送風機部風路６ｃと給気吹出し風路６ｄは、メンテナンスパネル１５の背面に構成される。
【００１９】
排気風路７は、熱交換器前排気風路７ａ、熱交換器後排気風路７ｂ、排気送風機部風路７ｃおよび排気吹出し風路７ｄを有して構成される。熱交換器前排気風路７ａは、還気吸込口４の直後から熱交換器１４の直前までの空間を構成する。熱交換器後排気風路７ｂは、熱交換器１４の直後から排気送風機１１の直前までの空間を構成する。排気送風機部風路７ｃは、排気送風機１１の周囲の空間を構成する。排気吹出し風路７ｄは、排気送風機１１の直後から排気吹出口５までの空間を構成する。
【００２０】
熱交換器前排気風路７ａと熱交換器後排気風路７ｂは、メンテナンスパネル１６の背面に構成される。排気送風機部風路７ｃと排気吹出し風路７ｄは、メンテナンスパネル１７の背面に構成される。
【００２１】
給気送風機９は、上述したように、給気送風機部風路６ｃに設けられる。給気送風機９は、給気風路６の入口端（外気吸込口２）から出口端（給気吹出口３）へ向かう給気流８を生成する。排気送風機１１は、上述したように、排気送風機部風路７ｃに設けられる。排気送風機１１は、排気風路７の入口端（還気吸込口４）から出口端（排気吹出口５）へ向かう排気流１０を形成する。
【００２２】
給気送風機９は、上述したように、給気送風機部風路６ｃに設けられる。給気送風機９は、給気送風機部風路６ｃに形成された給気送風機用台座１８と給気吹出し部仕切り部品１９とに、ねじ固定されている。
【００２３】
給気送風機９を固定しているねじを外せば、給気送風機９を容易に前面側にスライドさせることができる。したがって、メンテナンス用開口１ａを通して容易に給気送風機９を本体箱体１から引き出すことが可能である。
【００２４】
排気送風機１１は、上述したように、排気送風機部風路７ｃに設けられる。排気送風機１１は、排気送風機部風路７ｃに形成された排気送風機用台座２０と排気吹出し部仕切り部品２１とに、ねじ固定されている。
【００２５】
排気送風機１１を固定しているねじを外せば、排気送風機１１を容易に前面側にスライドさせることができる。したがって、メンテナンス用開口１ａを通して容易に排気送風機１１を本体箱体１から引き出すことが可能である。
【００２６】
また、上記本体箱体１内には、給気風路６及び排気風路７に組込まれて、給気流８と排気流１０に含まれる埃等を捕集するフィルター１２が設けられている。フィルター１２は、前面側にスライドさせることができる。したがって、メンテナンス用開口１ａを通して容易にフィルター１２を本体箱体１から引き出すことが可能である。
【００２７】
熱交換器１４は、前側（メンテナンス用開口１ａ側）から見て横並びに配置されている。これにより、熱交換器１４を縦並びに配置するよりも熱交換換気装置３０の製品高さを抑えることができる。また、熱交換換気装置３０の製品高さを抑えることで、ダクト工事の柔軟性が増す。また、天井の低い場所への設置も容易になり、施工性の向上も図ることができる。また、メンテナンス性の向上も図ることができる。また、製品重心が低い為搬入性の向上も図ることができる。
【００２８】
図９は、熱交換換気装置３０が備える支持体の外観を示す斜視図である。図１０は、支持体を構成する本体支持脚部品の外観を示す斜視図である。図１１は、支持体を構成するガイド板の外観を示す斜視図である。
【００２９】
図１〜図５に示すように、本体箱体１の下側には、本体箱体１を支持する支持体３１が設けられている。図９に示すように、支持体３１は、２個の本体支持脚部品３２と２個のガイド板３５とを有して構成される。
【００３０】
本体支持脚部品３２は、本体箱体１の下方に前後に並べて設けられる。より具体的には、本体支持脚部品３２は、熱交換換気装置３０の前面側と後面側とに、左右に延びるような配置で、本体箱体１の下面に取り付けられる。２個の本体支持脚部品３２のそれぞれには、本体支持脚部品３２の並列方向、すなわち前後方向に貫通するフォーク挿入口（開口）３３が形成されている。
【００３１】
フォーク挿入口３３は、前面側に設けられる本体支持脚部品３２と、後面側に設けられる本体支持脚部品３２とで同じ位置となるように形成されている。荷役装置による熱交換換気装置３０の移送時には、前後に並列された本体支持脚部品３２の両方のフォーク挿入口３３に、荷役装置のフォークが貫通するように挿入される。
【００３２】
ガイド板３５は、前後に並列された本体支持脚部品３２のフォーク挿入口３３同士を結ぶフォーク挿入経路上に設けられる板部材である。また、ガイド板３５は、フォーク挿入経路の上面側、すなわち本体箱体１の下面を覆うように配置される。
【００３３】
ガイド板３５によって本体箱体１の下面が覆われるので、フォーク挿入口３３にフォークを挿入する際に、本体箱体１の下面にフォークが直接接触するのを防ぐことができる。したがって、本体箱体１の下面がフォークによって傷を付けられることを抑えることができる。
【００３４】
ガイド板３５と本体支持脚部品３２とは、互いにネジ止め固定されて連結される。これにより、ガイド板３５や本体支持脚部品３２のガタつきが抑えられて、本体箱体１をより強固に支持できるようになる。
【００３５】
ガイド板３５の左右両端には、フォークガイド部３６が設けられる。フォークガイド部３６は、ガイド板３５の左右両端、すなわちフォーク挿入経路の両側でガイド板３５から下方に延びるように形成される。より具体的には、フォークガイド部３６は、ガイド板３５の左右両端部分がフォークの挿入方向（前後方向）に沿って下方に折り曲げられて形成される。
【００３６】
フォーク挿入口３３に荷役装置のフォークが挿入される際に、フォークの挿入方向がフォークガイド部３６によって規制されるので、フォークが左右方向にずれにくくなる。これにより、フォーク挿入口３３にフォークを挿入する際に、本体箱体１下部の前側から後側までフォークを脱落させずに確実に挿入しやすくなる。
【００３７】
本体支持脚部品３２には、床面固定部品３４が取り付けられている。図１や図４に示すように、床面固定部品３４には、熱交換換気装置３０を床面に固定するための固定孔３４ａが形成されている。熱交換換気装置３０は、床面や床面に設けられた基礎部に対して、固定孔３４ａを介してボルトなどによって固定される。
【００３８】
なお、本実施の形態では、本体支持脚部品３２を本体箱体１の下面に対して前後に取り付けられる２分割で構成した例を示しているがこれに限られない。例えば、本体支持脚部品３２を３分割以上で構成して、前側と後側に取り付けられる本体支持脚部品３２の間に、さらに本体支持脚部品３２が取り付けられるように構成してもよい。
【００３９】
また、本実施の形態では、本体支持脚部品３２は左右方向には分割しない例を示しているがこれに限られない。例えば、左右方向における中央部分で本体支持脚部品３２を分割し、１個の本体支持脚部品３２に１つのフォーク挿入口３３が形成されるように構成してもよい。
【００４０】
また、本実施の形態では、フォーク挿入経路の両側にフォークガイド部３６を設けたが、これに限られない。すなわち、フォーク挿入経路のいずれか一方側にのみフォークガイド部が設けるように構成しても構わない。
【産業上の利用可能性】
【００４１】
以上のように、本発明にかかる熱交換換気装置は、床に設置して用いられる床置型の熱交換換気装置に有用であり、特に、フォークを備える荷役装置などで移送される熱交換換気装置に有用である。
【符号の説明】
【００４２】
１  本体箱体
１ａ  メンテナンス用開口
２  外気吸込口
３  給気吹出口
４  還気吸込口
５  排気吹出口
６  給気風路
６ａ  熱交換器前給気風路
６ｂ  熱交換器後給気風路
６ｃ  給気送風機部風路
６ｄ  給気吹出し風路
７  排気風路
７ａ  熱交換器前排気風路
７ｂ  熱交換器後排気風路
７ｃ  排気送風機部風路
７ｄ  排気吹出し風路
８  給気流
９  給気送風機
１０  排気流
１１  排気送風機
１２  フィルター
１４  熱交換器
１５，１６，１７  メンテナンスパネル
１８  給気送風機用台座
１９  給気吹出し部仕切り部品
２０  排気送風機用台座
２１  排気吹出し部仕切り部品
３０  熱交換換気装置
３１  支持体
３２  本体支持脚部品
３３  フォーク挿入口（開口）
３４  床面固定部品
３４ａ  固定孔
３５  ガイド板
３６  フォークガイド部
【図５】
2012078061.tif 000003
【図６】
2012078061.tif 000004
【図７】
2012078061.tif 000005
【図８】
2012078061.tif 000006
【図９】
2012078061.tif 000007
【図１０】
2012078061.tif 000008
【図１１】
2012078061.tif 000009
【図１】
2012078061.tif 000010
【図２】
2012078061.tif 000011
【図３】
2012078061.tif 000012
【図４】
2012078061.tif 000013